(57)【要約】      （修正有）【課題】全体が小型でかつ広画角でありながら、全ズーム範囲及び全面全体にわたり高い光学性能が容易に得られるズームレンズを提供する。【解決手段】物体側から像側へ順に配置された、負の屈折力の第１レンズ群Ｌ１、１つ以上のレンズ群を含む中間群ＬＭ、正の屈折力の後群ＬＲより構成され、ズーミングに際して隣り合うレンズ群の間隔が変化するズームレンズであって、第１レンズ群Ｌ１は最も物体側に負の屈折力の第１レンズＧ１を有し、後群は最も像側に負の屈折力のレンズＧｒを有し、レンズＧｒの物体側のレンズ面の曲率半径Ｒ１、レンズＧｒの像側のレンズ面の曲率半径Ｒ２、後群の像側の主点から後群の最も像側のレンズ面までの距離Ｈｒ´、レンズＧｒの焦点距離ｆｒを各々適切に設定すること。【選択図】図１
2019074633.tif 000002
【特許請求の範囲】
【請求項１】
物体側から像側へ順に配置された、負の屈折力の第１レンズ群、１つ以上のレンズ群を含む中間群、正の屈折力の後群より構成され、ズーミングに際して隣り合うレンズ群の間隔が変化するズームレンズであって、
前記第１レンズ群は最も物体側に負の屈折力の第１レンズＧ１を有し、前記後群は最も像側に負の屈折力のレンズＧｒを有し、前記レンズＧｒの物体側のレンズ面の曲率半径をＲ１、前記レンズＧｒの像側のレンズ面の曲率半径をＲ２、前記後群の像側の主点から前記後群の最も像側のレンズ面までの距離をＨｒ´、前記レンズＧｒの焦点距離をｆｒとするとき、
−１０．０＜（Ｒ１＋Ｒ２）／（Ｒ１−Ｒ２）＜−１．０
０．２０＜Ｈｒ´／ｆｒ＜２．００
なる条件式を満たすことを特徴とするズームレンズ。
【請求項２】
前記後群の焦点距離をｆＬとするとき、
−２．００＜ｆｒ／ｆＬ＜−０．０１
なる条件式を満たすことを特徴とする請求項１に記載のズームレンズ。
【請求項３】
広角端における前記レンズＧｒの像側のレンズ面から像面までの距離をｓｋ、広角端における全系の焦点距離ｆｗとするとき、
０．８＜ｓｋ／ｆｗ＜１．５
なる条件式を満たすことを特徴とする請求項１または２に記載のズームレンズ。
【請求項４】
広角端における全系の焦点距離をｆｗとするとき、
−１０．０＜ｆｒ／ｆｗ＜−２．０
なる条件式を満たすことを特徴とする請求項１乃至３のいずれか１項に記載のズームレンズ。
【請求項５】
前記第１レンズ群の焦点距離をｆ１、広角端における全系の焦点距離をｆｗとするとき、
−１．７＜ｆ１／ｆｗ＜−１．０
なる条件式を満たすことを特徴とする請求項１乃至４のいずれか１項に記載のズームレンズ。
【請求項６】
広角端における全系の焦点距離をｆｗとするとき、
−７．０＜Ｈｒ´／ｆｗ＜−１．８
なる条件式を満たすことを特徴とする請求項１乃至５のいずれか１項に記載のズームレンズ。
【請求項７】
前記第１レンズ群は樹脂により形成された負の屈折力の樹脂レンズを有することを特徴とする請求項１乃至６のいずれか１項に記載のズームレンズ。
【請求項８】
前記第１レンズ群は３枚以上の負レンズを有することを特徴とする請求項１乃至７のいずれか１項に記載のズームレンズ。
【請求項９】
前記第１レンズ群は４枚の負レンズを有することを特徴とする請求項８に記載のズームレンズ。
【請求項１０】
前記後群は前記レンズＧｒの物体側に隣接して配置された、正レンズ又は複数のレンズを接合した正の屈折力の接合レンズを有することを特徴とする請求項１乃至９のいずれか１項に記載のズームレンズ。
【請求項１１】
前記後群は物体側から像側へ順に配置された、正の屈折力の第１部分群と負の屈折力の第２部分群から成ることを特徴とする請求項１乃至１０のいずれか１項に記載のズームレンズ。
【請求項１２】
前記第１部分群は両凸形状の単レンズを有することを特徴とする請求項１１に記載のズームレンズ。
【請求項１３】
広角端から望遠端へのズーミングに際して、前記第１レンズ群は像側へ凸状の軌跡を描いて移動することを特徴とする請求項１乃至１２のいずれか１項に記載のズームレンズ。
【請求項１４】
広角端から望遠端へのズーミングに際して前記後群は物体側へ移動することを特徴とする請求項１乃至１３のいずれか１項に記載のズームレンズ。
【請求項１５】
前記第１レンズＧ１の物体側のレンズ面は物体側に凸形状であることを特徴とする請求項１乃至１４のいずれか１項に記載のズームレンズ。
【請求項１６】
前記レンズＧｒの像側のレンズ面は像側に凸形状であることを特徴とする請求項１乃至１５のいずれか１項に記載のズームレンズ。
【請求項１７】
前記中間群は物体側から像側へ順に配置された、正の屈折力の第２レンズ群、負の屈折力の第３レンズ群より構成されることを特徴とする請求項１乃至１６のいずれか１項に記載のズームレンズ。
【請求項１８】
前記中間群は正の屈折力の第２レンズ群より構成されることを特徴とする請求項１乃至１６のいずれか１項に記載のズームレンズ。
【請求項１９】
前記中間群は物体側から像側へ順に配置された、正の屈折力の第２レンズ群、正の屈折力の第３レンズ群、負の屈折力の第４レンズ群より構成されることを特徴とする請求項１乃至１６のいずれか１項に記載のズームレンズ。
【請求項２０】
請求項１乃至１９のいずれか１項に記載のズームレンズと、該ズームレンズによって形成された像を受光する撮像素子を有することを特徴とする撮像装置。
【発明の詳細な説明】
【技術分野】
【０００１】
本発明は、ズームレンズ及びそれを有する撮像装置に関するものであり、例えば一眼レフカメラ・デジタルスチルカメラ・デジタルビデオカメラ、監視カメラ等に用いられる撮像光学系として好適なものである。
【背景技術】
【０００２】
近年、撮像装置に用いられる撮像光学系には、小型軽量で持ち運びが容易なこと、より広範囲な撮影条件に対応するために、広画角で全ズーム範囲にわたり高い光学性能を有するズームレンズであること等が望まれている。全体が小型で広画角のズームレンズとして、最も物体側に負の屈折力のレンズ群が配置されたネガティブリード型のズームレンズが知られている（特許文献１乃至４）。
【０００３】
特許文献１、２では、物体側から像側へ順に、負、正、負、正の屈折力の第１レンズ群乃至第４レンズ群からなり、隣り合うレンズ群の間隔を変化させてズーミングを行う４群ズームレンズを開示している。特許文献３では物体側から像側へ順に、負、正、正、負、正の屈折力の第１レンズ群乃至第５レンズ群よりなり、隣り合うレンズ群の間隔を変化させてズーミングを行う５群ズームレンズを開示している。特許文献４では物体側から像側へ順に、負、正、正の屈折力の第１レンズ群乃至第３レンズ群よりなり、隣り合うレンズ群の間隔を変化させてズーミングを行う３群ズームレンズを開示している。
【先行技術文献】
【特許文献】
【０００４】
【特許文献１】特開２０１６−１２６２８２号公報
【特許文献２】特開２０１２−２４７６８７号公報
【特許文献３】特開２０１５−２０６９７６号公報
【特許文献４】特開２０１１−８１１８５号公報
【発明の概要】
【発明が解決しようとする課題】
【０００５】
ネガティブリード型のズームレンズは広画角化及び全系の小型化が有利であるが、レンズ系全体が非対称となるため、ズーミングに伴う諸収差の変動が大きく全ズーム範囲にわたり高い光学性能を得るのが難しい。ネガティブリード型のズームレンズにおいて、全系の小型化を図りつつ全ズーム範囲で画面全体にわたり高い光学性能を得るには、各レンズ群の屈折力やレンズ構成等を適切に設定することが重要になってくる。
【０００６】
特に最も像側に配置されるレンズ群の屈折力や、レンズ構成等を適切に設定することが重要になってくる。これらの設定が適切でないと全系が小型で広画角で全ズーム範囲にわたり高い光学性能を有するズームレンズを得るのが困難になってくる。
【０００７】
本発明は、全体が小型でかつ広画角でありながら、全ズーム範囲及び全面全体にわたり高い光学性能が容易に得られるズームレンズの提供を目的とする。
【課題を解決するための手段】
【０００８】
本発明のズームレンズは、物体側から像側へ順に配置された、負の屈折力の第１レンズ群、１つ以上のレンズ群を含む中間群、正の屈折力の後群より構成され、ズーミングに際して隣り合うレンズ群の間隔が変化するズームレンズであって、
前記第１レンズ群は最も物体側に負の屈折力の第１レンズＧ１を有し、前記後群は最も像側に負の屈折力のレンズＧｒを有し、前記レンズＧｒの物体側のレンズ面の曲率半径をＲ１、前記レンズＧｒの像側のレンズ面の曲率半径をＲ２、前記後群の像側の主点から前記後群の最も像側のレンズ面までの距離をＨｒ´、前記レンズＧｒの焦点距離をｆｒとするとき、
−１０．０＜（Ｒ１＋Ｒ２）／（Ｒ１−Ｒ２）＜−１．０
０．２０＜Ｈｒ´／ｆｒ＜２．００
なる条件式を満たすことを特徴としている。
【発明の効果】
【０００９】
本発明によれば、全体が小型でかつ広画角でありながら、全ズーム範囲及び全面全体にわたり高い光学性能が容易に得られるズームレンズが得られる。
【図面の簡単な説明】
【００１０】
【図１】本発明の実施例１のズームレンズの広角端におけるレンズ断面図
【図２】実施例１の広角端、中間のズーム位置、望遠端における収差図
【図３】本発明の実施例２のズームレンズの広角端におけるレンズ断面図
【図４】実施例２の広角端、中間のズーム位置、望遠端における収差図
【図５】本発明の実施例３のズームレンズの広角端におけるレンズ断面図
【図６】実施例３の広角端、中間のズーム位置、望遠端における収差図
【図７】本発明の撮像装置の要部概略図
【発明を実施するための形態】
【００１１】
以下に、本発明の好ましい実施の形態を、添付の図面に基づいて説明する。本発明のズームレンズは、物体側から像側へ順に配置された、負の屈折力の第１レンズ群、１つ以上のレンズ群を含む中間群、正の屈折力の後群より構成されている。そしてズーミングに際して隣り合うレンズ群の間隔が変化する。
【００１２】
図１は実施例１の広角端におけるレンズ断面図である。図２（Ａ）、（Ｂ）、（Ｃ）は実施例１の広角端、中間のズーム位置、望遠端における収差図である。実施例１はズーム比１．９４、開口比（Ｆナンバー）４．００〜５．８０程度のズームレンズである。
【００１３】
図３は実施例２の広角端におけるレンズ断面図である。図４（Ａ）、（Ｂ）、（Ｃ）は実施例２の広角端、中間のズーム位置、望遠端における収差図である。実施例２はズーム比１．９４、開口比（Ｆナンバー）３．９４〜５．６９程度のズームレンズである。
【００１４】
図５は実施例３の広角端におけるレンズ断面図である。図６（Ａ）、（Ｂ）、（Ｃ）は実施例３の広角端、中間のズーム位置、望遠端における収差図である。実施例３はズーム比１．９４、開口比（Ｆナンバー）４．００〜５．８０程度のズームレンズである。
【００１５】
図７は、本発明のズームレンズを備えるカメラ（撮像装置）の要部概略図である。
【００１６】
各実施例のズームレンズはビデオカメラ、デジタルカメラ、監視カメラなどの撮像装置に用いられる撮像光学系である。
【００１７】
レンズ断面図において、左方が物体側（前方）で、右方が像側（後方）である。また、レンズ断面図において、Ｌ０はズームレンズである。またｉを物体側からのレンズ群の順番とすると、Ｌｉは第ｉレンズ群を示す。ＬＭは１つ以上のレンズ群を有する中間群である。ＬＲは正の屈折力の後群である。Ｇｒは後群ＬＲの最も像側に位置する負の屈折力のレンズである。
【００１８】
Ｇ１は第１レンズ群Ｌ１の最も物体側に位置する負の屈折力の第１レンズである。ＳＰは開口絞りである。ＩＰは像面である。像面ＩＰは、デジタルカメラやビデオカメラ、監視カメラの撮影光学系としてズームレンズを使用する際には、ＣＣＤセンサーやＣＭＯＳセンサーなどの撮像素子（光電変換素子）の撮像面に相当する。
【００１９】
尚、以下の各実施例において広角端と望遠端は変倍用レンズ群が機構上、光軸上移動可能な範囲の両端に位置したときのズーム位置をいう。レンズ断面図において、矢印は広角端から望遠端へのズーミングに際しての各レンズ群の移動軌跡を示している。
【００２０】
フォーカスに関する矢印は無限遠から近距離へのフォーカシングに際してのレンズ群の移動方向を示す。球面収差図において、実線のｄはｄ線（５８７．６ｎｍ）、２点鎖線のｇはｇ線（４３５．８ｎｍ）、破線のＣはＣ線（波長６５６．３ｎｍ）を表している。また、非点収差を示す収差図において、実線のＳはｄ線のサジタル方向、破線のＭはｄ線のメリディオナル方向を表している。また、歪曲を示す収差図は、ｄ線における歪曲を表している。倍率色収差はｄ線に対するｇ線について示している。ＦｎｏはＦナンバー、ωは撮影画角の半画角（度）である。
【００２１】
負の屈折力のレンズ群が最も物体側に位置する負先行型の広画角のズームレンズにおいて、レンズ全長を短くして全系を小型軽量にしようとすると、各レンズ群の屈折力が強くなり、光学性能が低下してくる。負先行型のズームレンズでは、レンズ群の構成のうち第１レンズ群の最も物体側のレンズ及び最も像側に位置する正の屈折力のレンズ群のレンズ構成がレンズ全長を短くし、高い光学性能を得るのに重要になってくる。
【００２２】
本発明のズームレンズは、物体側から像側へ順に配置された、負の屈折力の第１レンズ群Ｌ１、１つ以上のレンズ群を含む中間群ＬＭ、正の屈折力の後群ＬＲより構成されている。ズーミングに際して隣り合うレンズ群の間隔が変化するズームレンズである。
【００２３】
第１レンズ群Ｌ１は最も物体側に負の屈折力の第１レンズＧ１を有する。後群ＬＲは最も像側に負の屈折力のレンズＧｒを有する。レンズＧｒの物体側のレンズ面の曲率半径をＲ１、レンズＧｒの像側のレンズ面の曲率半径をＲ２とする。後群ＬＲの像側の主点から後群ＬＲの最も像側のレンズ面までの距離をＨｒ´とする。ここで距離Ｈｒ´の符号は物体側へ測るときを負、像側へ測るときを正とする。レンズＧｒの焦点距離をｆｒとする。
【００２４】
このとき、
−１０．０＜（Ｒ１＋Ｒ２）／（Ｒ１−Ｒ２）＜−１．０  ・・・（１）
０．２０＜Ｈｒ´／ｆｒ＜２．００                      ・・・（２）
なる条件式を満たす。
【００２５】
次に前述の各条件式の技術的意味について説明する。条件式（１）はレンズＧｒのレンズ形状に関し、主に像面湾曲を含む諸収差を良好に補正するためのものである。条件式（１）の下限値を逸脱すると、レンズＧｒの負の屈折力が弱くなり（負の屈折力の絶対値が小さくなり）収差補正効果が減少してくる。条件式（１）の上限値を逸脱すると、レンズＧｒの負の屈折力が強くなり（負の屈折力の絶対値が大きくなり）収差補正効果が減少してしまう。条件式（１）は、より好ましくは次の数値範囲とするのが良い。
【００２６】
−４．０＜（Ｒ１＋Ｒ２）／（Ｒ１−Ｒ２）＜−２．５  ・・・（１ａ）
条件式（２）は後群ＬＲの像側主点位置に関し、主に全系の小型化を図るためのものである。条件式（２）の下限値を逸脱するとバックフォーカスが必要以上に長くなりレンズ全系が大型化してしまう。条件式（２）の上限値を逸脱すると、後群ＬＲを構成するレンズの屈折力が強くなりすぎて収差特に像面湾曲の補正が困難となる。条件式（２）は、より好ましくは次の数値範囲とするのが良い。
【００２７】
０．４４＜Ｈｒ´／ｆｒ＜１．５５                    ・・・（２ａ）
以上の構成により、全系が小型軽量でありながら高い光学性能を有するズームレンズを得ている。
【００２８】
次に本発明のズームレンズの、より好ましい構成について説明する。後群ＬＲの焦点距離をｆＬとする。広角端におけるレンズＧｒの像側のレンズ面から像面までの距離をｓｋ、広角端における全系の焦点距離ｆｗとする。第１レンズ群Ｌ１の焦点距離をｆ１とする。このとき次の条件式のうち１つ以上を満足するのが良い。
【００２９】
−２．００＜ｆｒ／ｆＬ＜−０．０１  ・・・（３）
０．８＜ｓｋ／ｆｗ＜１．５          ・・・（４）
−１０．０＜ｆｒ／ｆｗ＜−２．０    ・・・（５）
−１．７＜ｆ１／ｆｗ＜−１．０      ・・・（６）
−７．０＜Ｈｒ´／ｆｗ＜−１．８    ・・・（７）
【００３０】
次に前述の各条件式の技術的意味について説明する。条件式（３）は全体として正の屈折力の後群ＬＲの像側に配置した負の屈折力のレンズＧｒの屈折力に関し、主に後群ＬＲの像側主点の位置を適切に設定し、バックフォーカスを短縮しレンズ全系の小型軽量化を図るためのものである。
【００３１】
条件式（３）の下限値を逸脱してレンズＧｒの負の焦点距離が長くなると（負の焦点距離の絶対値が大きくなると）バックフォーカスを短縮する事が困難となり、全系の小型軽量化が困難となる。条件式（３）の上限値を逸脱してレンズＧｒの負の焦点距離が短くなると（負の焦点距離の絶対値が小さくなると）収差特に像面湾曲の補正が困難となる。
【００３２】
条件式（４）はバックフォーカスを短くする事で全系を小型軽量化するためのものである。条件式（４）の下限値を逸脱すると、最終のレンズＧｒと像面とが近くなり収差補正が困難となる。又は最終のレンズＧｒが径方向に大型化してくるので良くない。条件式（４）の上限値を逸脱すると、バックフォーカスが長くなりすぎて、全系の小型軽量化が困難となる。
【００３３】
条件式（５）はレンズＧｒの焦点距離を適切に設定する事で収差特に像面湾曲の補正を良好に行うためのものである。条件式（５）の下限値を逸脱して、レンズＧｒの負の焦点距離が長くなると、バックフォーカスを短縮する事が出来ず全系の小型軽量化が困難となる。条件式（５）の上限値を逸脱して、レンズＧｒの焦点距離が短くなると収差特に像面湾曲の補正が困難となる。
【００３４】
条件式（６）は第１レンズ群の焦点距離を適切に設定する事で全系の小型化を容易とするためのものである。条件式（６）の下限値を逸脱して、第１レンズ群Ｌ１の焦点距離が長くなると、レトロフォーカスの効果が少なくなり、全系の小型化が困難となる。条件式（６）の上限値を逸脱して、第１レンズ群Ｌ１の負の焦点距離が短くなると、収差特に歪曲収差の補正が困難となる。
【００３５】
条件式（７）は後群ＬＲの像側主点位置を適切に設定する事で全系の小型化を容易とするためのものである。条件式（７）の下限値を逸脱するとバックフォーカスが必要以上に長くなりレンズ全系が大型化してしまう。条件式（７）の上限値を逸脱すると、後群ＬＲを構成するレンズの屈折力が強くなり収差特に像面湾曲の補正が困難となる。
【００３６】
更に好ましくは条件式（３）乃至（７）の数値範囲を次の如く設定するのが良い。
【００３７】
−１．１０＜ｆｒ／ｆＬ＜−０．０５  ・・・（３ａ）
１．０＜ｓｋ／ｆｗ＜１．２          ・・・（４ａ）
−５．０＜ｆｒ／ｆｗ＜−３．０      ・・・（５ａ）
−１．４＜ｆ１／ｆｗ＜−１．２      ・・・（６ａ）
−５．８＜Ｈｒ´／ｆｗ＜−２．１    ・・・（７ａ）
【００３８】
各実施例において好ましくは次の構成をとるのが良い。第１レンズ群Ｌ１は樹脂により形成された負の屈折力の樹脂レンズを少なくとも１つ有するのが良い。これによれば収差特に歪曲収差及び像面湾曲の補正が容易となる。第１レンズ群Ｌ１は３枚以上の負レンズを有することが良い。特に第１レンズ群Ｌ１は４枚の負レンズを有することが良い。具体的には、第１レンズ群Ｌ１は物体側から像側へ順に配置された、負レンズ、負レンズ、負レンズ、負レンズを有するのが良い。これによれば収差特に歪曲収差及び像面湾曲の補正が容易となる。
【００３９】
後群ＬＲはレンズＧｒの物体側に隣接して配置された、正レンズ又は複数のレンズを接合した正の屈折力の接合レンズを有することが良い。後群ＬＲは物体側から像側へ順に配置された、正レンズ、負レンズと正レンズを接合した接合レンズ、負レンズより構成することが良い。または正レンズ、正レンズ、負レンズと正レンズを接合した接合レンズ、負レンズより構成するのが良い。これによれば、後群ＬＲの像面側主点を適切に設定して、バックフォーカスを短縮しレンズ全系を小型軽量化とすることが容易となる。
【００４０】
後群ＬＲは物体側から像側へ順に配置された、正の屈折力の第１部分群と負の屈折力の第２部分群から成ることが良い。ここで第１部分群と第２部分群の区分けは次のとおりである。ここで第１部分群はレンズＧｒより物体側に配置されている全てのレンズを含む。第２部分群はレンズＧｒより構成される。これによれば後群ＬＲの像面側主点を適切に設定し、バックフォーカスを短縮しレンズ全系を小型軽量化とすることが容易となる。
【００４１】
第１部分群は両凸形状の単レンズを有することが良い。これによれば、後群ＬＲの像面側主点を適切に設定し、バックフォーカスを短縮しレンズ全系を小型軽量化とすることが容易となる。
【００４２】
広角端から望遠端へのズーミングに際して、第１レンズ群Ｌ１は像側へ凸状の軌跡を描いて移動することが良い。即ち、広角端から望遠端へのズーミングに際して第１レンズ群Ｌ１は像側へ移動し、その後、物体側へ移動するのが良い。これによればレンズ全長を短くして全系の小型化が容易となる。
【００４３】
広角端から望遠端へのズーミングに際して後群ＬＲは物体側へ移動するのが良い。これによれば各ズーム位置で収差補正に適切な位置をとる事ができ、収差特に歪曲収差及び像面湾曲の補正が容易となる。  第１レンズＧ１の物体側のレンズ面は物体側に凸形状であるのが良い。これによれば収差特に歪曲収差及び像面湾曲の補正が容易となる。レンズＧｒの像側のレンズ面は像面側に凸形状である。これによれば収差特に歪曲収差及び像面湾曲の補正が容易となる。
【００４４】
各実施例における中間群ＬＭのレンズ構成は次のとおりである。実施例１において、中間群ＬＭは物体側から像側へ順に配置された、正の屈折力の第２レンズ群Ｌ２、負の屈折力の第３レンズ群Ｌ３から構成される。
【００４５】
実施例２において、中間群ＬＭは正の屈折力の第２レンズ群Ｌ２から構成される。実施例３において、中間群ＬＭは物体側から像側へ順に配置された、正の屈折力の第２レンズ群Ｌ２、正の屈折力の第３レンズ群Ｌ３、負の屈折力の第４レンズ群Ｌ４から構成される。
【００４６】
次に、各実施例におけるレンズ構成について説明する。実施例１は、物体側より像側へ順に配置された、負の屈折力の第１レンズ群Ｌ１、正の屈折力の第２レンズ群Ｌ２、負の屈折力の第３レンズ群Ｌ３，正の屈折力の第４レンズ群Ｌ４より構成されている。第２レンズ群Ｌ２と第３レンズ群Ｌ３は中間群ＬＭである。第４レンズ群Ｌ４は後群ＬＲである。広角端から望遠端へのズーミングに際して隣接するレンズ群間隔が変化する様に各レンズ群が移動する。無限遠から近距離へのフォーカシングに際して第３レンズ群Ｌ３が像側へ移動する。
【００４７】
実施例２は、物体側より像側へ順に配置された、負の屈折力の第１レンズ群Ｌ１、正の屈折力の第２レンズ群Ｌ２、正の屈折力の第３レンズ群Ｌ３より構成されている。第２レンズ群Ｌ２が中間群ＬＭである。第３レンズ群Ｌ３は後群ＬＲである。広角端から望遠端へのズーミングに際して隣接するレンズ群間隔が変化する様に各レンズ群が移動する。無限遠から近距離へのフォーカシングに際して第２レンズ群Ｌ２のうち、像側の部分群Ｌ２ｂが物体側へ移動する。
【００４８】
実施例３は、物体側より像側へ順に配置された、負の屈折力の第１レンズ群Ｌ１、正の屈折力の第２レンズ群Ｌ２、正の屈折力の第３レンズ群Ｌ３、負の屈折力の第４レンズ群Ｌ４，正の屈折力の第５レンズ群Ｌ５より構成されている。広角端から望遠端へのズーミングに際して隣接するレンズ群間隔が変化する様に各レンズ群が移動する。無限遠から近距離へのフォーカシングに際して第４レンズ群Ｌ４が像側へ移動する。
【００４９】
以上、本発明の好ましい実施例について説明したが、本発明はこれらの実施例に限定されないことは言うまでもなく、その要旨の範囲内で種々の変形及び変更が可能である。
【００５０】
図７は本発明のズームレンズを用いた一眼レフカメラ（撮像装置）の要部概略図である。図７において、１０は実施例１乃至３のいずれか１つのズームレンズ１を有する撮像光学系である。ズームレンズ１は保持部材である鏡筒２に保持されている。２０はカメラ本体であり、撮像光学系１０からの光束を上方に反射するクイックリターンミラー３、撮像光学系１０の像形成位置に配置された焦点板４より構成されている。更に、焦点板４に形成された逆像を正立像に変換するペンタダハプリズム５、その正立像を観察するための接眼レンズ６などによって構成されている。
【００５１】
７は感光面であり、ＣＣＤセンサやＣＭＯＳセンサ等のズームレンズによって形成される像を受光する撮像素子（光電変換素子）が配置される。撮影時にはクイックリターンミラー３が光路から退避して、感光面７上に撮像光学系１０によって像が形成される。実施例１乃至３にて説明した利益は、本実施例に開示したような撮像装置において効果的に享受される。また本発明のズームレンズはクイックリターンミラーのない、ミラーレスのカメラにも同様に適用することができる。またプロジェクター用の画像投射光学系に適用することもできる。
【００５２】
以下に実施例１乃至３に対応する数値データ１乃至３を示す。各数値データにおいてｉは物体側からの面の順番を示す。数値データにおいてｒｉは物体側より順に第ｉ番目のレンズ面の曲率半径、ｄｉは物体側より順に第ｉ番目のレンズ厚及び空気間隔、ｎｄｉとνｄｉは各々物体側より順に第ｉ番目のレンズの材料の屈折率とアッベ数である。ＢＦはバックフォーカスであり、最終レンズ面から像面までの空気換算での距離で示している。レンズ全長は第１レンズ面から最終レンズ面までの距離にバックフォーカスを加えた値である。
【００５３】
また、焦点距離、Ｆナンバー等のスペックに加え、半画角は全系の半画角（度）、像高は半画角を決定する最大像高、レンズ全長は第１レンズ面から像面までの距離である。バックフォーカスＢＦは最終面から像面までの長さを示している。
【００５４】
また、レンズ群データは、各レンズ群の焦点距離を表している。また、各光学面の間隔ｄが（可変）となっている部分は、ズーミングに際して変化するものであり、別表に物体距離に応じた面間隔を記している。また前述の各条件式と数値データ１乃至３との関係を表１、表２に示す。
【００５５】
（数値実施例１）
単位 mm
面データ
面番号       r        d      nd         νd       
1         42.929    2.00   1.76385    48.5       
2         20.607    0.20                         
3         20.654    3.00   1.52996    55.8       
4*        16.942    8.31                         
5         39.417    1.60   1.59522    67.7       
6         15.173   12.56                         
7        -34.919    1.50   1.49700    81.5       
8        147.552    0.15                         
9         43.595    4.15   1.63980    34.5       
10       -110.146  (可変)                         
11         78.719    2.58   1.48749    70.2       
12        -45.188    2.00                         
13(絞り)    ∞       2.00                         
14         19.803    1.20   2.00100    29.1       
15         11.775    5.36   1.57135    53.0       
16        -38.160  (可変)                         
17        -35.820    3.40   1.78472    25.7       
18        -12.684    1.20   1.91082    35.3       
19        -69.550  (可変)                         
20       -304.454    5.64   1.49700    81.5       
21        -17.077    0.30                         
22*        70.972    1.40   1.85135    40.1       
23         13.404    6.98   1.49700    81.5       
24        407.445    6.74                         
25        -16.390    1.40   1.49700    81.5       
26        -28.097  (可変)                         
像面        ∞   
【００５６】
非球面データ
第4面
K =-4.75949e-001  A 4=-1.29799e-006  A 6=-3.74496e-008  A 8= 1.61938e-010  A10=-5.96575e-013  A12= 5.44739e-016  
第22面
K = 9.70940e+000  A 4=-1.47556e-005  A 6=-3.69394e-008  
各種データ
ズーム比      1.94
焦点距離      17.50    27.00    33.95 
Fナンバー      4.00     5.03     5.80 
半画角（度）  51.03    38.71    32.51  
像高          21.64    21.64    21.64 
レンズ全長   121.00   118.39   121.18 
BF            20.00    30.99    38.92 
d10           20.73     7.14     2.00   
d16            1.30     1.99     2.43    
d19            5.30     4.61     4.17     
d26           20.00    30.99    38.92    
【００５７】
（数値実施例２）
単位 mm
面データ
面番号       r        d      nd         νd       
1         49.065    2.00   1.76385    48.5      
2         20.935    0.20                         
3         20.991    3.00   1.52996    55.8       
4*        17.172    7.65                         
5         37.560    1.60   1.59522    67.7       
6         16.326   13.50                         
7        -42.013    1.50   1.49700    81.5       
8        261.363    0.15                         
9         43.708    3.75   1.68893    31.1       
10       -435.653  (可変)                         
11       -389.102    2.37   1.48749    70.2       
12        -35.574    2.00                         
13(絞り)    ∞       2.00                         
14         16.308    1.20   2.00100    29.1       
15         12.144    4.86   1.49700    81.5       
16       -124.332    1.47                         
17        -44.055    4.57   1.78472    25.7       
18        -14.004    1.20   1.91082    35.3       
19        -73.235  (可変)                         
20        321.602    5.13   1.49700    81.5       
21        -21.547    0.15                         
22         20.147    2.31   1.49700    81.5       
23         25.366    2.61                         
24*      -277.727    1.40   1.85135    40.1       
25         16.241    8.18   1.49700    81.5       
26        -40.069    1.96                         
27        -21.659    1.40   1.69680    55.5       
28        -49.972  (可変)                         
像面        ∞   
【００５８】
非球面データ
第4面
K =-4.75949e-001  A 4=-2.68980e-006  A 6=-3.95265e-008  A 8= 1.10886e-010  A10=-2.85367e-013  A12= 7.70724e-017  
第24面
K = 9.70940e+000  A 4=-2.59025e-005  A 6=-4.63197e-008  
各種データ
ズーム比      1.94 
焦点距離      17.50    27.00    33.95      
Fナンバー      3.94     4.92     5.69    
半画角（度）  51.03    38.71    32.51      
像高          21.64    21.64    21.64     
レンズ全長   122.00   119.11   121.87  
BF            20.00    31.62    40.07    
d10           21.07     7.21     2.00    
d19            4.77     4.12     3.64   
d28           20.00    31.62    40.07   
【００５９】
（数値実施例３）
単位 mm
面データ
面番号       r        d      nd         νd       
1         80.054    2.00   1.76385    48.5       
2         29.852    0.20                         
3         30.031    3.00   1.52996    55.8       
4*        19.663    5.29                         
5         37.560    1.60   1.59522    67.7       
6         13.754   12.89                         
7        -18.589    1.50   1.49700    81.5       
8        -27.670    0.15                         
9         52.238    3.31   1.76182    26.5       
10        525.534  (可変)                         
11         87.096    2.48   1.48749    70.2       
12        -50.026  (可変)                         
13(絞り)    ∞       2.00                         
14         21.237    1.20   2.00100    29.1       
15         12.108    5.30   1.62041    60.3       
16        -61.118  (可変)                         
17       -250.027    3.91   1.78472    25.7       
18        -14.322    1.20   1.91082    35.3       
19          ∞     (可変)                         
20        321.602    6.11   1.43875    94.9       
21        -16.202    2.66                         
22*      -169.131    1.40   1.85135    40.1       
23         16.941    7.67   1.49700    81.5       
24        -44.208    1.79                         
25        -23.637    1.40   1.65160    58.5       
26        -54.739  (可変)                         
像面        ∞   
【００６０】
非球面データ
第4面
K =-4.75949e-001  A 4=-1.85824e-005  A 6=-6.90648e-008  A 8= 1.71151e-010  A10=-3.41561e-013  A12= 3.59098e-016  
第22面
K = 9.70940e+000  A 4=-3.32870e-005  A 6=-9.59082e-008  
各種データ
ズーム比      1.94 
焦点距離      17.50    27.00    33.95 
Fナンバー      4.00     5.03     5.80   
半画角（度）  51.03    38.71    32.51  
像高          21.64    21.64    21.64   
レンズ全長   115.00   112.93   115.83   
BF            20.00    31.97    40.57   
d10           19.54     6.78     2.00    
d12            2.06     1.65     1.35   
d16            1.30     1.75     2.07    
d19            5.04     3.73     2.79   
d26           20.00    31.97    40.57  
【００６１】
【表１】
2019074633.tif 000003
【００６２】
【表２】
2019074633.tif 000004
【符号の説明】
【００６３】
Ｌ１  第１レンズ群      Ｌ２  第２レンズ群      Ｌ３  第３レンズ群
Ｌ４  第４レンズ群  Ｌ５  第５レンズ群
ＬＭ  中間群      ＬＲ  後群
【図１】
2019074633.tif 000005
【図２】
2019074633.tif 000006
【図３】
2019074633.tif 000007
【図４】
2019074633.tif 000008
【図５】
2019074633.tif 000009
【図６】
2019074633.tif 000010
【図７】
2019074633.tif 000011